(57)【要約】【課題】  一対の挟持体が何らかのはずみで少し開いてしまっても、装身具用留め具が線状装飾部から容易には脱落しないような装身具用留め具を提供する。【解決手段】  複数個の装飾部材１６０を連ねてなる線状装飾部１７０を備える装身具１５０における線状装飾部１７０に留め付けられる装身具用留め具１００である。相互に回動可能に軸支され、線状装飾部１７０を構成する装飾部材１６０のうち、相互に隣り合う何れか２つの装飾部材１６０の間の部分を挟持する一対の挟持体１、２を備える。一対の挟持体１，２により何れか２つの装飾部材１６０の間の部分を挟持させるべく該一対の挟持体１，２を付勢するバネ４を備える。一対の挟持体１，２には、何れか２つの装飾部材１６０をそれぞれ位置決めさせるための半球状の凹部１３，２３が形成されている。【選択図】    図１
2006198348.tif 000002
【特許請求の範囲】
【請求項１】
複数個の装飾部材を連ねてなる線状装飾部を備える装身具における前記線状装飾部に留め付けられる装身具用留め具において、
相互に回動可能に軸支され、前記線状装飾部の一部を挟持する一対の挟持体と、
前記一対の挟持体により前記線状装飾部の前記一部を挟持させるべく該一対の挟持体を付勢するバネと、
を備えることを特徴とする装身具用留め具。
【請求項２】
複数個の装飾部材を連ねてなる線状装飾部を備える装身具における前記線状装飾部に留め付けられる装身具用留め具において、
相互に回動可能に軸支され、前記線状装飾部を構成する装飾部材のうち、相互に隣り合う何れか２つの装飾部材の間の部分を挟持する一対の挟持体と、
前記一対の挟持体により前記何れか２つの装飾部材の間の部分を挟持させるべく該一対の挟持体を付勢するバネと、
を備えることを特徴とする装身具用留め具。
【請求項３】
前記一対の挟持体には、前記何れか２つの装飾部材をそれぞれ位置決めさせるための凹部が形成されていることを特徴とする請求項２に記載の装身具用留め具。
【請求項４】
前記一対の挟持体のうち一方の挟持体の前記凹部よりも、他方の挟持体の前記凹部の方が、前記一対の挟持体により前記線状装飾部を挟持した状態で該線状装飾部の長手方向となる深さが浅く形成されていることを特徴とする請求項３に記載の装身具用留め具。
【請求項５】
前記凹部は、球体の一部分に沿うような凹曲面状に形成されていることを特徴とする請求項３又は４に記載の装身具用留め具。
【請求項６】
複数個の装飾部材を連ねてなる線状装飾部を備える装身具における前記線状装飾部に留め付けられる装身具用留め具において、
相互に回動可能に軸支され、前記線状装飾部を構成する装飾部材のうち、何れかの装飾部材を挟持する一対の挟持体と、
前記一対の挟持体により前記何れかの装飾部材を挟持させるべく該一対の挟持体を付勢するバネと、
を備えることを特徴とする装身具用留め具。
【請求項７】
前記一対の挟持体は、前記何れかの装飾部材をくわえ込むようにして挟持することを特徴とする請求項６に記載の装身具用留め具。
【請求項８】
前記一対の挟持体は、それぞれ半球状の凹室を備え、これら凹室により、前記何れかの装飾部材をくわえ込むようにして挟持することを特徴とする請求項７に記載の装身具用留め具。
【請求項９】
前記一対の挟持体は、同時に複数個の装飾部材を挟持するように構成されていることを特徴とする請求項６乃至８の何れか一項に記載の装身具用留め具。
【請求項１０】
前記一対の挟持体は、回動軸方向において並んで位置する複数個の装飾部材を同時に挟持するように構成されていることを特徴とする請求項９に記載の装身具用留め具。
【請求項１１】
前記一対の挟持体は、回動軸方向に対する直交方向において並んで位置する複数個の装飾部材を同時に挟持するように構成されていることを特徴とする請求項９に記載の装身具用留め具。
【請求項１２】
前記一対の挟持体は、何れか２つの装飾部材の間の部分を同時に複数箇所挟持するように構成されていることを特徴とする請求項２乃至５の何れか一項に記載の装身具用留め具。
【請求項１３】
前記一対の挟持体は、回動軸方向において並んで位置する複数箇所を同時に挟持するように構成されていることを特徴とする請求項１２に記載の装身具用留め具。
【請求項１４】
前記一対の挟持体は、回動軸方向に対する直交方向において並んで位置する複数箇所を同時に挟持するように構成されていることを特徴とする請求項１２に記載の装身具用留め具。
【請求項１５】
前記一対の挟持体のうち、一方の挟持体における回動先端部には他方の挟持体側に向けて突出する突起部が形成され、他方の挟持体における回動先端部には前記一対の挟持体が閉じた際に前記突起部が嵌入する凹部が形成されていることを特徴とする請求項１乃至１４の何れか一項に記載の装身具用留め具。
【請求項１６】
前記一対の挟持体において、回動軸を中心として、前記線状装飾部を挟持する部分とは反対側は、使用者により押圧操作される操作部を構成していることを特徴とする請求項１乃至１５の何れか一項に記載の装身具用留め具。
【請求項１７】
複数個の装飾部材を連ねてなる線状装飾部を備える装身具において、
請求項１乃至１６の何れか一項に記載の装身具用留め具が、前記線状装飾部の何れかの箇所に連結されてなることを特徴とする装身具。
【請求項１８】
前記線状装飾部の一端部に連結された第１の前記装身具用留め具と、
前記線状装飾部の他端部に連結された第２の前記装身具用留め具と、
を備えることを特徴とする請求項１７に記載の装身具。
【請求項１９】
前記装身具用留め具が、前記線状装飾部の両端部に連結されていることを特徴とする請求項１７に記載の装身具。
【発明の詳細な説明】
【技術分野】
【０００１】
本発明は、装身具用留め具及びこれを備える装身具に関する。
【背景技術】
【０００２】
複数個の装飾部材を連ねてなる線状装飾部を備える装身具としては、例えば、ネックレス、ブレスレット、ペンダント、アンクレットなどが知られている。
【０００３】
各装飾部材は、例えば珠型に形成され、各装飾部材に対して芯糸を順次挿通することにより、線状装飾部が構成されている。
【０００４】
〔第１の従来例〕
従来、そのような装身具の線状装飾部に留め付けられる装身具用留め具としては、例えば、図２０に示すように、ヒンジ機構１０１を介して相互に開閉可能に連結された一対の挟持体１０２，１０３を備えるタイプの装身具用留め具１０００ものが知られている。
【０００５】
装身具用留め具１０００の一対の挟持体１０２，１０３のうち、一方の挟持体１０２における回動先端側の端部には、他方の挟持体１０３における回動先端側の端部に係合する係止爪１０４が形成されている。
【０００６】
また、挟持体１０２，１０３には、線状装飾部を構成する装飾部材を保持する保持部１０５，１０６が、それぞれ形成されている。
【０００７】
保持部１０５と保持部１０６との間の空間に線状装飾部を通し、挟持体１０２の係止爪１０４が挟持体１０３の端部に係合するまで挟持体１０２，１０３を閉じることにより、一対の挟持体１０２，１０３が閉じた状態に維持され、装身具用留め具１０００が線状装飾部に対して留め付けられる。
【０００８】
〔第２の従来例〕
また、従来の装身具用留め具としては、他に、例えば、図２１に示すように、係止爪ではなく、相互に吸着する磁石２０１、２０２により一対の挟持体１０２，１０３を閉じた状態に維持させるようにしたタイプの装身具用留め具２０００が知られている。
【０００９】
なお、装身具用留め具２０００の挟持体１０３には、例えば、装飾部材を保持する保持凹部２０３が形成されている。
【発明の開示】
【発明が解決しようとする課題】
【００１０】
しかしながら、上記の第１の従来例の装身具用留め具１０００においては、  係止爪１０４が何らかのはずみで外れてしまうと、一対の挟持体１０２，１０３が簡単に全開してしまい、装身具用留め具１０００が線状装飾部から脱落してしまうという問題がある。
【００１１】
また、上記の第２の従来例の装身具用留め具２０００においては、一対の挟持体１０２，１０３が何らかのはずみで少し開くと、一対の挟持体１０２，１０３が簡単に全開してしまい、装身具用留め具２０００が脱落してしまうという問題がある。
【００１２】
なぜなら、磁石２０１，２０２は、一対の挟持体１０２，１０３が閉じた状態で最大の力で引きつけ合うようになっており、距離が開くほど引きつけ合う力が弱くなってしまうためである。
【００１３】
更に、上記の第２の従来例の装身具用留め具２０００には、磁石２０１，２０２を挟持体１０２，１０３に対して接着する接着剤の劣化などにより挟持体１０２，１０３から磁石２０１，２０２が脱落してしまうと使い物にならないという問題もある。
【００１４】
本発明は、上記のような問題点を解決するためになされたもので、一対の挟持体が何らかのはずみで少し開いてしまっても、装身具用留め具が線状装飾部から容易には脱落しないような装身具用留め具及びこれを備える装身具を提供することを目的とする。
【課題を解決するための手段】
【００１５】
上記課題を解決するため、本発明の装身具用留め具は、複数個の装飾部材を連ねてなる線状装飾部を備える装身具における前記線状装飾部に留め付けられる装身具用留め具において、相互に回動可能に軸支され、前記線状装飾部の一部を挟持する一対の挟持体と、前記一対の挟持体により前記線状装飾部の前記一部を挟持させるべく該一対の挟持体を付勢するバネと、を備えることを特徴としている。
【００１６】
また、本発明の装身具用留め具は、複数個の装飾部材を連ねてなる線状装飾部を備える装身具における前記線状装飾部に留め付けられる装身具用留め具において、相互に回動可能に軸支され、前記線状装飾部を構成する装飾部材のうち、相互に隣り合う何れか２つの装飾部材の間の部分を挟持する一対の挟持体と、前記一対の挟持体により前記何れか２つの装飾部材の間の部分を挟持させるべく該一対の挟持体を付勢するバネと、を備えることを特徴としている。
【００１７】
本発明の装身具用留め具においては、前記一対の挟持体には、前記何れか２つの装飾部材をそれぞれ位置決めさせるための凹部が形成されていることが好ましい。
【００１８】
本発明の装身具用留め具においては、前記一対の挟持体のうち一方の挟持体の前記凹部よりも、他方の挟持体の前記凹部の方が、前記一対の挟持体により前記線状装飾部を挟持した状態で該線状装飾部の長手方向となる深さが浅く形成されていることが好ましい。
【００１９】
本発明の装身具用留め具においては、前記凹部は、球体の一部分に沿うような凹曲面状に形成されていることが好ましい。
【００２０】
また、本発明の装身具用留め具は、複数個の装飾部材を連ねてなる線状装飾部を備える装身具における前記線状装飾部に留め付けられる装身具用留め具において、相互に回動可能に軸支され、前記線状装飾部を構成する装飾部材のうち、何れかの装飾部材を挟持する一対の挟持体と、前記一対の挟持体により前記何れかの装飾部材を挟持させるべく該一対の挟持体を付勢するバネと、を備えることを特徴としている。
【００２１】
本発明の装身具用留め具においては、前記一対の挟持体は、前記何れかの装飾部材をくわえ込むようにして挟持することが好ましい。
【００２２】
本発明の装身具用留め具においては、前記一対の挟持体は、それぞれ半球状の凹室を備え、これら凹室により、前記何れかの装飾部材をくわえ込むようにして挟持することが好ましい。
【００２３】
本発明の装身具用留め具においては、前記一対の挟持体は、同時に複数個の装飾部材を挟持するように構成されていることが好ましい。
【００２４】
本発明の装身具用留め具においては、前記一対の挟持体は、回動軸方向において並んで位置する複数個の装飾部材を同時に挟持するように構成されていることが好ましい。
【００２５】
或いは、本発明の装身具用留め具においては、前記一対の挟持体は、回動軸方向に対する直交方向において並んで位置する複数個の装飾部材を同時に挟持するように構成されていることも好ましい。
【００２６】
本発明の装身具用留め具においては、前記一対の挟持体は、何れか２つの装飾部材の間の部分を同時に複数箇所挟持するように構成されていることが好ましい。
【００２７】
本発明の装身具用留め具においては、前記一対の挟持体は、回動軸方向において並んで位置する複数箇所を同時に挟持するように構成されていることが好ましい。
【００２８】
或いは、本発明の装身具用留め具においては、前記一対の挟持体は、回動軸方向に対する直交方向において並んで位置する複数箇所を同時に挟持するように構成されていることも好ましい。
【００２９】
本発明の装身具用留め具においては、前記一対の挟持体のうち、一方の挟持体における回動先端部には他方の挟持体側に向けて突出する突起部が形成され、他方の挟持体における回動先端部には前記一対の挟持体が閉じた際に前記突起部が嵌入する凹部が形成されていることが好ましい。
【００３０】
本発明の装身具用留め具においては、前記一対の挟持体において、回動軸を中心として、前記線状装飾部を挟持する部分とは反対側は、使用者により押圧操作される操作部を構成していることが好ましい。
【００３１】
また、本発明の装身具は、複数個の装飾部材を連ねてなる線状装飾部を備える装身具において、本発明の装身具用留め具が、前記線状装飾部の何れかの箇所に連結されてなることを特徴としている。
【００３２】
本発明の装身具においては、前記線状装飾部の一端部に連結された第１の前記装身具用留め具と、前記線状装飾部の他端部に連結された第２の前記装身具用留め具と、を備えることが好ましい。
【００３３】
或いは、本発明の装身具においては、前記装身具用留め具が、前記線状装飾部の両端部に連結されていることも好ましい。
【発明の効果】
【００３４】
本発明によれば、一対の挟持体をバネにより付勢し、該一対の挟持体により線状装飾部を挟持させるので、一対の挟持体が何らかのはずみで少し開いてしまったとしても、装身具用留め具が線状装飾部から容易には脱落しない。
【発明を実施するための最良の形態】
【００３５】
以下、図面を参照して、本発明に係る実施形態について説明する。
【００３６】
〔第１の実施形態〕
図１は第１の実施形態に係る装身具用留め具１００を示す側面図、図２は装身具用留め具１００の一対の挟持体を相互に開いた状態を示す側面図、図３は装身具用留め具１００を示す正面図、図４は装身具用留め具１００を示す背面図、図５は装身具用留め具１００により連珠体を挟み込んだ状態を示す上面図、図６は装身具用留め具１００を備える装身具として例示するネックレス１５０を示す全体図、図７は装身具用留め具１００が備えるバネ４を示す斜視図である。
【００３７】
なお、本実施形態では、ネックレス１５０の連珠体（線状装飾部）１７０を構成する装飾部材１６０の間隔部分を装身具用留め具１００により挟持する例を説明する。
【００３８】
先ず、図６を参照して、本実施形態に係るネックレス１５０の構成について説明する。
【００３９】
ネックレス１５０は、複数個の珠型の装飾部材１６０を連ねて構成された連珠体１７０と、この連珠体１７０の両端部にそれぞれ連結された装身具用留め具１００と、を備えて構成されている。
【００４０】
なお、図６においては、簡単のため、一部の装飾部材１６０にのみ符号を付している。
【００４１】
各装飾部材１６０には、各々の中心を直線状に貫く貫通穴（図示略）が形成されている。そして、各装飾部材１６０の貫通穴に対して順次、芯糸（図示略）を通すことにより、該芯糸により各装飾部材１６０が相互に連結されている。これにより、各装飾部材１６０により連珠体１７０が構成されている。なお、各装飾部材１６０を連結する芯糸としては、例えば、ナイロン糸或いは絹糸などが用いられている。
【００４２】
次に、本実施形態に係る装身具用留め具１００の構成について説明する。
【００４３】
第１の実施形態に係る装身具用留め具１００は、図６及び図５に示すようにネックレス１５０の連珠体１７０に留め付けられるものであり、図１及び図２に示すように、連珠体１７０の一部を挟持する一対の挟持体１，２と、一対の挟持体１，２を相互に連結するとともに該挟持体１，２の相対的な回動を実現させる軸支体３と、この一対の挟持体１，２により連珠体１７０を挟持させるべく該挟持体１，２を付勢するバネ４（図４、図７参照）と、を備えて構成されている。
【００４４】
なお、装身具用留め具１００において、図１及び図２に示すのとは反対側の側面も、例えば、図１及び図２に示す方の側面と同様に構成されている。
【００４５】
図１及び図２に示すように、一対の挟持体１，２は、例えばピン状の軸支体３により相互に軸支され、該軸支体３を回動軸として相対的に回動可能とされている。
【００４６】
挟持体１、２は、使用者により、例えばつまむようにして押圧操作される操作部１１、２１と、軸支体３を中心として操作部１１，２１とは反対側の部分を構成し、操作部１１，２１に対する操作に連動して開閉動作する開閉部１２，２２と、を備えている。
【００４７】
なお、挟持体１，２は、例えば、金属からなることが挙げられるが、挟持体１，２の材質はその他（例えば樹脂など）であっても良い。
【００４８】
バネ４は、例えば、図７に示すように、弾性体からなる１本の線材４Ａ（例えば、金属の線材）を屈曲形成したものであり、軸支体３が内部に挿通される挿通部４１と、操作部１１における操作部２１側の面を該操作部２１から遠ざかる方向に付勢する第１付勢部４２と、操作部２１における操作部１１側の面を該操作部１１から遠ざかる方向に付勢する第２付勢部４３と、を備えて構成されている。なお、挿通部４１は、例えば、線材４Ａを複数回巻回して構成されている。
【００４９】
従って、図２に示すように、操作部１１，２１を（バネ４の第１及び第２付勢部４２，４３による付勢力に抗して）相互に近づけるように押圧操作することにより、軸支体３を回動軸として一対の挟持体１，２が相対的に回動し、開閉部１２，２２が開く（互いに遠ざかる）。
【００５０】
他方、操作部１１，２１に対する操作を解除すると、バネ４の第１及び第２付勢部４２，４３による付勢力に従って、軸支体３を回動軸として一対の挟持体１，２が相対的に回動し、操作部１１，２１が互いに遠ざかる一方で、開閉部１２，２２が互いに近づく（閉じる）。
【００５１】
ここで、開閉部１２，２２は、連珠体１７０を挟持する部分である。
【００５２】
開閉部１２，２２の側面には、該開閉部１２，２２により連珠体１７０を挟持した際に装飾部材１６０を位置決めするための凹部１３，２３が形成されている。
【００５３】
この凹部１３，２３は、開閉部１２，２２が相互に閉じた際には、総体として半球状の凹部を構成するような形状及び配置とされている。
【００５４】
なお、本実施形態の場合、例えば、開閉部１２の凹部１３と、開閉部２２の凹部２３とは、略同一の寸法及び形状に形成されている。
【００５５】
また、両凹部１３，２３の境界部には、開閉部１２，２２により連珠体１７０を挟持した際に、連珠体１７０の内部に挿通された芯糸（図示略）を通すための切欠部１４，２４が形成されている。
【００５６】
なお、開閉部１２，２２には、図１及び図２に示す方の側面とは反対側の側面にも、凹部１３，２３が形成されている（図３参照）。
【００５７】
従って、開閉部１２，２２の側面のうち図１及び図２に示す方の側面に形成された凹部１３，２３によって、連珠体１７０を構成する装飾部材１６０のうち何れか１つが位置決めされる一方で、この装飾部材１６０の隣の装飾部材１６０が、開閉部１２，２２の側面のうち図１及び図２に示すのとは反対側の側面に形成された凹部１３，２３によって位置決めされるようになっている（図５参照）。
【００５８】
また、開閉部１２，２２の先端部１５，２５は、開閉部１２，２２が相互に閉じた際に相互に当接するようになっている。
【００５９】
更に、図２に示すように、先端部１５，２５のうち、例えば、先端部１５には、先端部２５側に向けて突出する突起部１５Ａが形成されている一方で、先端部２５には、開閉部１２，２２が相互に閉じた際に突起部１５Ａが嵌入する凹部（図示略）が形成されている。従って、開閉部１２，２２が相互に閉じた際には、突起部１５Ａ及び凹部が嵌合することにより、先端部１５，２５どうしのずれが防止される。
【００６０】
また、図５に示すように、先端部１５，２５は、その先端側ほど左右幅（図５における左右幅）が次第に細くなるように形成されている。
【００６１】
ここで、先端部１５，２５の左右幅（図５における左右幅）を先細に形成するほど、凹部１３，２３がフィット可能な装飾部材１６０の外径の許容範囲が広がるため好ましい（汎用性が向上する）。
【００６２】
なお、図４に示すように、装身具用留め具１００には、該装身具用留め具１００に対して連珠体１７０の端部を連結するための連結用穴５が形成されている。この連結用穴５は、例えば、操作部１１の後端部に形成されている。
【００６３】
そして、図５及び図６に示すように、連結用穴５には、ネックレス１５０の連珠体１７０の端部が連結されている。
【００６４】
なお、本実施形態の場合、例えば、ネックレス１５０の連珠体１７０の両端部に、それぞれ装身具用留め具１００が１つずつ連結されている。
【００６５】
次に、以上のような構成の装身具用留め具１００及びこれを備えるネックレス１５０の使用方法の例について説明する。
【００６６】
例えば、ネックレス１５０が備える２つの装身具用留め具１００のうち、何れか一方の装身具用留め具１００の開閉部１２，２２により、連珠体１７０の何れかの箇所（任意の何れか２つの装飾部材１６０の間隔部分）を挟持することにより、図６に示すように、ネックレス１５０により１つの環状部を形成される。この環状部に使用者の首を通すことにより、ネックレス１５０を使用者の首にかけることができる。
【００６７】
或いは、双方の装身具用留め具１００を連珠体１７０に留め付けることにより、ネックレス１５０により１つの環状部を形成し、該ネックレス１５０を首にかけることもできる。
【００６８】
以上のような第１の実施形態によれば、一対の挟持体１，２をバネ４により付勢し、該一対の挟持体１，２により連珠体（線状装飾部）１７０を挟持させるので、一対の挟持体１，２が何らかのはずみで少し開いてしまったとしても、装身具用留め具１００が連珠体１７０から容易には脱落しない。
【００６９】
〔第２の実施形態〕
次に、図８を参照して、第２の実施形態に係る装身具用留め具を説明する。
【００７０】
図８は第２の実施形態に係る装身具用留め具２００を示す正面図である。
【００７１】
第２の実施形態に係る装身具用留め具２００は、以下に説明する点でのみ、上記の第１の実施形態に係る装身具用留め具１００と異なり、その他の点では、上記の第１の実施形態に係る装身具用留め具１００と同様に構成されているため、第２の実施形態に係る装身具用留め具２００の各構成要素のうち、上記の第１の実施形態に係る装身具用留め具１００におけるのと同様の構成要素には、同一の符号を付し、その説明を省略する。
【００７２】
上記の第１の実施形態では、開閉部１２の凹部１３と、開閉部２２の凹部２３とが、略同一の寸法及び形状に形成されている例を説明したが、この場合、凹部１３，２３の寸法と装飾部材１６０の寸法とが一致しないとうまく噛み合わない場合があるという問題がある。
【００７３】
そこで、第２の実施形態の場合、図８に示すように、例えば、開閉部２２の凹部２３の深さ（連珠体１７０の挿通方向における深さ：回動軸方向の深さでもある）を、開閉部１２の凹部１３よりも浅く形成することにより、凹部１３，２３がフィット可能な装飾部材１６０の外径の許容範囲をより広げている。
【００７４】
以上のような第２の実施形態によれば、上記の第１の実施形態と同様の効果が得られる他に、以下の効果が得られる。
【００７５】
すなわち、一対の挟持体１，２のうち一方の挟持体１の凹部１３よりも、他方の挟持体２の凹部２３の方が、一対の挟持体１，２により連珠体１７０を挟持した状態で該連珠体１７０の長手方向となる深さが浅く形成されているので、凹部１３，２３がフィット可能な装飾部材１６０の外径の許容範囲が、上記の第１の実施形態よりも広範となっている。
【００７６】
〔第３の実施形態〕
次に、図９を参照して、第３の実施形態に係る装身具用留め具を説明する。
【００７７】
図９は第３の実施形態に係る装身具用留め具３００を示す正面図である。
【００７８】
第３の実施形態に係る装身具用留め具３００は、以下に説明する点でのみ、上記の第１の実施形態に係る装身具用留め具１００と異なり、その他の点では、上記の第１の実施形態に係る装身具用留め具１００と同様に構成されているため、第３の実施形態に係る装身具用留め具３００の各構成要素のうち、上記の第１の実施形態に係る装身具用留め具１００におけるのと同様の構成要素には、同一の符号を付し、その説明を省略する。
【００７９】
上記の第１の実施形態では、先端部１５，２５のうち、例えば、先端部１５には、先端部２５側に向けて突出する突起部１５Ａが形成されている一方で、先端部２５には、開閉部１２，２２が相互に閉じた際に突起部１５Ａが嵌入する凹部（図示略）が形成されている例を説明したが、第３の実施形態の場合、先端部１５，２５には、突起部１５Ａ及び該突起部１５Ａが嵌入する凹部が形成されていない。
【００８０】
以上のような第３の実施形態によれば、開閉部１２，２２が相互に閉じた際に、先端部１５，２５どうしのずれが防止されるという効果を除いては、上記の第１の実施形態の場合と同様の効果が得られる。
【００８１】
〔第４の実施形態〕
次に、図１０乃至図１３を参照して、第４の実施形態に係る装身具用留め具４００について説明する。
【００８２】
上記の各実施形態では、ネックレス１５０の連珠体（線状装飾部）１７０を構成する装飾部材１６０の間隔部分を装身具用留め具により挟持する例を説明したが、第４の実施形態では、装飾部材１６０自体を装身具用留め具４００により挟持する例を説明する。
【００８３】
図１０は第４の実施形態に係る装身具用留め具４００を示す側面図、図１１は装身具用留め具４００を示す正面図、図１２は装身具用留め具４００の一対の挟持体を相互に開いた状態を示す斜視図、図１３は装身具用留め具４００により連珠体の装飾部材を挟み込んだ状態を示す上面図である。
【００８４】
第４の実施形態に係る装身具用留め具４００は、以下に説明するように、その開閉部１２，２２の構造が上記の第１の実施形態に係る装身具用留め具１００と異なり、その他の点では上記の第１の実施形態に係る装身具用留め具１００と同様に構成されているため、第４の実施形態に係る装身具用留め具４００の各構成要素のうち、上記の第１の実施形態に係る装身具用留め具１００におけるのと同様の構成要素には、同一の符号を付し、その説明を省略する。
【００８５】
なお、装身具用留め具４００において、図１０に示すのとは反対側の側面も、例えば、図１０に示す方の側面と同様に構成されている。
【００８６】
本実施形態の場合、開閉部１２，２２は、連珠体１７０を構成する装飾部材１６０のうち、任意の何れか１つの装飾部材１６０を挟持する部分である。
【００８７】
すなわち、開閉部１２，２２は、半球状の内空領域の凹室６（図１２参照）をそれぞれ備えている。
【００８８】
これら凹室６は、開閉部１２，２２が相互に閉じられた際には、総体として球状の内空領域の凹室を構成するような形状及び配置とされている。
【００８９】
そして、開閉部１２，２２は、これら凹室６により、何れかの装飾部材１６０をくわえ込むようにして挟持する。
【００９０】
なお、例えば、開閉部１２の凹室６と、開閉部２２の凹室６とは、略同一の寸法及び形状に形成されている。
【００９１】
また、図１０及び図１２に示すように、開閉部１２、２２の両側部において、両凹室６の境界部には、開閉部１２，２２により装飾部材１６０を挟持した際に連珠体１７０の内部に挿通された芯糸（図示略）を通すための切欠部１４，２４が、それぞれ形成されている。
【００９２】
更に、図１１に示すように、開閉部１２、２２の先端部において、両凹室６の境界部にも、開閉部１２，２２により装飾部材１６０を挟持した際に連珠体１７０の内部に挿通された芯糸（図示略）を通すための切欠部７、８が、それぞれ形成されている。
【００９３】
本実施形態の場合、例えば、開閉部１２，２２は、それぞれ籠状に形成され、多数の孔部を有している。従って、開閉部１２，２２の内部に装飾部材１６０を挟持した状態では、これら孔部を介して、内部の装飾部材１６０を視認可能な状態となる。
【００９４】
また、本実施形態の場合、上記の第１の実施形態とは異なり、例えば、先端部１５及び先端部２５には、突起部１５Ａ及び凹部が形成されていない。
【００９５】
次に、以上のような構成の装身具用留め具４００及びこれを備えるネックレス１５０（図１３参照）の使用方法の例について説明する。
【００９６】
例えば、ネックレス１５０が備える装身具用留め具４００の開閉部１２，２２により、図１３に示すように連珠体１７０の何れかの装飾部材１６０を挟持することにより、ネックレス１５０により環状部を形成し、該環状部に使用者の首を通すことにより、該ネックレスを使用者の首にかけることができる。
【００９７】
ここで、本実施形態の場合、装身具用留め具４００は、ネックレス１５０の一端部にのみ連結することも好ましい。
【００９８】
この場合、図１３に示すように連珠体１７０が開閉部１２，２２の両側部の切欠部１４、２４を通るようにして装身具用留め具４００により連珠体１７０の装飾部材１６０を挟持することができるほか、ネックレス１５０の他端部に位置する装飾部材１６０を装身具用留め具４００により挟持する際に、連珠体１７０が切欠部７，８（図１１参照）を通るようにして挟持することもできる。
【００９９】
以上のような第４の実施形態によれば、上記の第１の実施形態と同様の効果が得られる。
【０１００】
また、開閉部１２，２２が籠状に形成され、内部を視認可能であるので、装身具用留め具４００を備える装身具の装飾性をより高めることができる。
【０１０１】
〔第５の実施形態〕
次に、図１４を参照して、第５の実施形態に係る装身具用留め具５００について説明する。
【０１０２】
図１４は第５の実施形態に係る装身具用留め具５００を示す側面図である。
【０１０３】
上記の第４の実施形態では、装身具用留め具４００により何れか１つの装飾部材１６０のみを挟持する例を説明したが、第５の実施形態では、装身具用留め具５００により何れか２つの装飾部材１６０を同時に挟持する例を説明する。
【０１０４】
第５の実施形態に係る装身具用留め具５００は、以下に説明するように、その開閉部１２，２２の構造が上記の第４の実施形態に係る装身具用留め具４００と異なり、その他の点では上記の第４の実施形態に係る装身具用留め具４００と同様に構成されているため、第５の実施形態に係る装身具用留め具５００の各構成要素のうち、上記の第４の実施形態に係る装身具用留め具４００におけるのと同様の構成要素には、同一の符号を付し、その説明を省略する。
【０１０５】
なお、装身具用留め具５００において、図１４に示すのとは反対側の側面も、例えば、図１４に示す方の側面と同様に構成されている。
【０１０６】
図１４に示すように、装身具用留め具５００の開閉部１２，２２は、軸支体３の軸方向（回動軸方向）に対する直交方向において並んで位置する２個の装飾部材１６０を同時に挟持するように構成されている。
【０１０７】
すなわち、開閉部１２及び開閉部２２は、それぞれ凹室６（図１４においては図示略：図１２参照）を、軸支体３の軸方向（回動軸方向）に対する直交方向において２つずつ備えて構成されている。
【０１０８】
以上のような第５の実施形態によれば、一対の挟持体１，２は、回動軸方向に対する直交方向おいて並んで位置する２個の装飾部材１６０を同時に挟持するように構成されているので、上記の第４の実施形態と比べて、より多様な使用方法で装身具用留め具５００を使用することができる。
【０１０９】
なお、上記の第５の実施形態では、一対の挟持体１，２が、回動軸方向に対する直交方向おいて並んで位置する２個の装飾部材１６０を同時に挟持する例を説明したが、回動軸方向に対する直交方向において並んで位置する３個以上の装飾部材１６０を同時に挟持するようにしても良い。
【０１１０】
〔第６の実施形態〕
次に、図１５を参照して、第６の実施形態に係る装身具用留め具６００について説明する。
【０１１１】
図１５は第６の実施形態に係る装身具用留め具６００により連珠体１７０の装飾部材１６０を挟持した状態を示す上面図である。
【０１１２】
上記の第５の実施形態では、装身具用留め具５００の開閉部１２，２２が、軸支体３の軸方向（回動軸方向）に対する直交方向において並んで位置する２個の装飾部材１６０を同時に挟持する例を説明したが、第６の実施形態では、装身具用留め具６００の開閉部１２，２２が、軸支体３の軸方向（回動軸方向）において並んで位置する２個の装飾部材１６０を同時に挟持する例を説明する。
【０１１３】
なお、装身具用留め具５００において、図１４に示すのとは反対側の側面も、例えば、図１４に示す方の側面と同様に構成されている。
【０１１４】
図１５に示すように、第６の実施形態に係る装身具用留め具６００は、上記の第４の実施形態に係る装身具用留め具４００（図１３など）を、回動軸方向において２つ繋げて相互に一体化したような構造となっている。
【０１１５】
以上のような第６の実施形態によれば、一対の挟持体１，２は、回動軸方向において並んで位置する２個の装飾部材１６０を同時に挟持するように構成されているので、上記の第４の実施形態と比べて、より多様な使用方法で装身具用留め具６００を使用することができる。
【０１１６】
なお、上記の第６の実施形態では、一対の挟持体１，２が、回動軸方向において並んで位置する２個の装飾部材１６０を同時に挟持する例を説明したが、回動軸方向において並んで位置する３個以上の装飾部材１６０を同時に挟持するようにしても良い。
【０１１７】
〔第７の実施形態〕
次に、図１６を参照して、第７の実施形態に係る装身具用留め具７００について説明する。
【０１１８】
図１６は第７の実施形態に係る装身具用留め具７００を示す側面図である。
【０１１９】
上記の第１の実施形態では、装身具用留め具１００により、連珠体１７０を構成する装飾部材１６０の間隔部分のうちの何れか１つのみを挟持する例を説明したが、第７の実施形態では、連珠体１７０を構成する装飾部材１６０の間隔部分を複数箇所同時に挟持する例を説明する。
【０１２０】
第７の実施形態に係る装身具用留め具７００は、以下に説明するように、その開閉部１２，２２の構造が上記の第１の実施形態に係る装身具用留め具１００と異なり、その他の点では上記の第１の実施形態に係る装身具用留め具１００と同様に構成されているため、第７の実施形態に係る装身具用留め具７００の各構成要素のうち、上記の第１の実施形態に係る装身具用留め具１００におけるのと同様の構成要素には、同一の符号を付し、その説明を省略する。
【０１２１】
なお、装身具用留め具７００において、図１６に示すのとは反対側の側面も、例えば、図１６に示す方の側面と同様に構成されている。
【０１２２】
図１６に示すように、装身具用留め具７００の開閉部１２，２２は、連珠体１７０を構成する装飾部材１６０の間隔部分のうち、軸支体３の軸方向（回動軸方向）に対する直交方向において並んで位置する２箇所を同時に挟持するように構成されている。
【０１２３】
すなわち、開閉部１２及び開閉部２２は、それぞれ凹部１３，２３を、軸支体３の軸方向（回動軸方向）に対する直交方向において２つずつ備えて構成されている。
【０１２４】
以上のような第７の実施形態によれば、一対の挟持体１，２は、連珠体１７０を構成する装飾部材１６０の間隔部分のうち、軸支体３の軸方向（回動軸方向）に対する直交方向において並んで位置する２箇所を同時に挟持するように構成されているので、上記の第１の実施形態と比べて、より多様な使用方法で装身具用留め具７００を使用することができる。
【０１２５】
なお、上記の第７の実施形態では、一対の挟持体１，２が、連珠体１７０を構成する装飾部材１６０の間隔部分のうち、軸支体３の軸方向（回動軸方向）に対する直交方向において並んで位置する２箇所を同時に挟持する例を説明したが、連珠体１７０を構成する装飾部材１６０の間隔部分のうち、軸支体３の軸方向（回動軸方向）に対する直交方向において並んで位置する３箇所以上を同時に挟持するようにしても良い。
【０１２６】
〔第８の実施形態〕
次に、図１７を参照して、第８の実施形態に係る装身具用留め具８００について説明する。
【０１２７】
図１７は第８の実施形態に係る装身具用留め具８００により連珠体１７０を挟持した状態を示す上面図である。
【０１２８】
上記の第７の実施形態では、装身具用留め具７００の開閉部１２，２２が、連珠体１７０を構成する装飾部材１６０の間隔部分のうち、軸支体３の軸方向（回動軸方向）に対する直交方向において並んで位置する２箇所を同時に挟持する例を説明したが、第８の実施形態では、装身具用留め具８００の開閉部１２，２２が、連珠体１７０を構成する装飾部材１６０の間隔部分のうち、軸支体３の軸方向（回動軸方向）において並んで位置する２箇所を同時に挟持する例を説明する。
【０１２９】
なお、装身具用留め具８００において、図１７に示すのとは反対側の側面も、例えば、図１７に示す方の側面と同様に構成されている。
【０１３０】
図１７に示すように、第８の実施形態に係る装身具用留め具８００は、上記の第１の実施形態に係る装身具用留め具１００（図５など）を、回動軸方向において２つ繋げて相互に一体化したような構造となっている。
【０１３１】
以上のような第８の実施形態によれば、一対の挟持体１，２は、連珠体１７０を構成する装飾部材１６０の間隔部分のうち、軸支体３の軸方向（回動軸方向）に対する直交方向において並んで位置する２箇所を同時に挟持するように構成されているので、上記の第１の実施形態と比べて、より多様な使用方法で装身具用留め具８００を使用することができる。
【０１３２】
なお、上記の第８の実施形態では、一対の挟持体１，２が、連珠体１７０を構成する装飾部材１６０の間隔部分のうち、軸支体３の軸方向（回動軸方向）において並んで位置する２箇所を同時に挟持する例を説明したが、連珠体１７０を構成する装飾部材１６０の間隔部分のうち、軸支体３の軸方向（回動軸方向）において並んで位置する３箇所以上を同時に挟持するようにしても良い。
【０１３３】
〔第９の実施形態〕
次に、図１８及び図１９を参照して、第９の実施形態に係る装身具用留め具９００Ａ、９００Ｂを説明する。
【０１３４】
なお、第９の実施形態に係る装身具用留め具９００Ａ、９００Ｂは、以下に説明する点でのみ、上記の第１の実施形態に係る装身具用留め具１００と異なり、その他の点では、上記の第１の実施形態に係る装身具用留め具１００と同様に構成されているため、第９の実施形態に係る装身具用留め具９００Ａ、９００Ｂの各構成要素のうち、上記の第１の実施形態に係る装身具用留め具１００におけるのと同様の構成要素には、同一の符号を付し、その説明を省略する。
【０１３５】
図１８及び図１９に示すように、第９の実施形態に係る装身具用留め具９００Ａ、９００Ｂの挟持体１は、装飾が施された装飾部９００Ｃを備えている。
【０１３６】
すなわち、図１８に示す装身具用留め具９００Ａの装飾部９００Ｃは、例えば、立体的な花の模様をかたどっており、図１９に示す装身具用留め具９００Ｂの装飾部９００Ｃは、例えば、立体的な蝶の模様をかたどっており、
なお、装飾部９００Ｃは、例えば、挟持体１と一体形成されている。
【０１３７】
以上のような第９の実施形態に係る装身具用留め具９００Ａ、９００Ｂによれば、例えば挟持体１は、装飾が施された装飾部９００Ｃを備えるので、上記の各実施形態に係る装身具用留め具と比べて、装飾性が向上する。
【０１３８】
なお、上記の各実施形態では、本発明に係る装身具の好適な一例として、ネックレス１５０を例示したが、本発明はこの例に限らず、例えば、ブレスレット、ペンダント、アンクレットなど、線状装飾部を備える装身具であれば、如何なる装身具であっても良い。
【０１３９】
また、上記の各実施形態では、線状装飾部を構成する装飾部材１６０が珠型である例（線状装飾部が連珠体１７０である例）を説明したが、この例に限らず、装飾部材１６０は、例えば、円筒形状、円柱形状、紡錘形など、その他の形状であっても良く、挟持体１，２の形状は、装飾部材１６０の形状に応じて、適宜に変更可能である。
【０１４０】
また、装身具用留め具が備えるバネ４として、図７に示すような形状のものを例示したが、この例に限らず、一対の挟持体１，２により連珠体（線状装飾部）１７０を挟持させるべく該一対の挟持体１，２を付勢することができるようなバネであれば、形状は任意である。
【０１４１】
また、上記の各実施形態では、装身具用留め具がバネ４を１つのみ備える例を説明したが、例えば、２つ或いは３つ以上備えるようにしても良い。
【図面の簡単な説明】
【０１４２】
【図１】第１の実施形態に係る装身具用留め具を示す側面図である（一対の挟持体を閉じた状態）。
【図２】第１の実施形態に係る装身具用留め具を示す側面図である（一対の挟持体を開いた状態）。
【図３】第１の実施形態に係る装身具用留め具を示す正面図である。
【図４】第１の実施形態に係る装身具用留め具を示す背面図である。
【図５】第１の実施形態に係る装身具用留め具を示す上面図である（連珠体を挟み込んだ状態）。
【図６】第１の実施形態に係る装身具用留め具を備える装身具を示す全体図である。
【図７】装身具用留め具が備えるバネの一例を示す斜視図である。
【図８】第２の実施形態に係る装身具用留め具を示す正面図である。
【図９】第３の実施形態に係る装身具用留め具を示す側面図である（一対の挟持体を開いた状態）。
【図１０】第４の実施形態に係る装身具用留め具を示す側面図である（一対の挟持体を閉じた状態）。
【図１１】第４の実施形態に係る装身具用留め具を示す正面図である。
【図１２】第４の実施形態に係る装身具用留め具を示す斜視図である（一対の挟持体を開いた状態）。
【図１３】第４の実施形態に係る装身具用留め具を示す上面図である（連珠体を挟み込んだ状態）。
【図１４】第５の実施形態に係る装身具用留め具を示す側面図である（一対の挟持体を閉じた状態）。
【図１５】第６の実施形態に係る装身具用留め具を示す上面図である（連珠体を挟み込んだ状態）。
【図１６】第７の実施形態に係る装身具用留め具を示す側面図である（一対の挟持体を閉じた状態）。
【図１７】第８の実施形態に係る装身具用留め具を示す上面図である（連珠体を挟み込んだ状態）。
【図１８】第９の実施形態に係る装身具用留め具の第１の例を示す斜視図である。
【図１９】第９の実施形態に係る装身具用留め具の第２の例を示す斜視図である。
【図２０】第１の従来例の装身具用留め具を示す側面図である（一対の挟持体を閉じた状態）。
【図２１】第２の従来例の装身具用留め具を示す斜視図である（一対の挟持体を開いた状態）。
【符号の説明】
【０１４３】
１        挟持体
２        挟持体
３        軸支体（回動軸を構成する）
４        バネ
１１      操作部
２１      操作部
１３      凹部
２３      凹部
１５Ａ    突起部
１００    装身具用留め具
１５０    ネックレス（装身具）
１６０    装飾部材
１７０    連珠体（線状装飾部）
６        凹室
２００    装身具用留め具
３００    装身具用留め具
４００    装身具用留め具
５００    装身具用留め具
６００    装身具用留め具
７００    装身具用留め具
８００    装身具用留め具
９００Ａ  装身具用留め具
９００Ｂ  装身具用留め具
【図１】
2006198348.tif 000003
【図２】
2006198348.tif 000004
【図３】
2006198348.tif 000005
【図４】
2006198348.tif 000006
【図５】
2006198348.tif 000007
【図６】
2006198348.tif 000008
【図７】
2006198348.tif 000009
【図８】
2006198348.tif 000010
【図９】
2006198348.tif 000011
【図１０】
2006198348.tif 000012
【図１１】
2006198348.tif 000013
【図１２】
2006198348.tif 000014
【図１３】
2006198348.tif 000015
【図１４】
2006198348.tif 000016
【図１５】
2006198348.tif 000017
【図１６】
2006198348.tif 000018
【図１７】
2006198348.tif 000019
【図１８】
2006198348.tif 000020
【図１９】
2006198348.tif 000021
【図２０】
2006198348.tif 000022
【図２１】
2006198348.tif 000023